(57)【特許請求の範囲】
【請求項１】
操作部を備えた第一の筐体と表示部を備えた第二の筐体を、連結部を介して連結した折り畳み式携帯電話機において、
前記連結部は、
前記第一の筐体に対して前記第二の筐体を長手方向に開閉する第一回動軸と、
前記第一の筐体に対して前記第二の筐体を短手方向に開閉する第二回動軸と、
前記操作部は、各操作キーの内容を印字したキーシートを備え、
前記キーシートは、前記第一回動軸の回動に追従してスライド移動し、前記第二回動軸の回動に対しては追従しないことを特徴とする折り畳み式携帯電話機。
【請求項２】
操作部を備えた第一の筐体と表示部を備えた第二の筐体を、連結部を介して連結した折り畳み式携帯電話機において、
前記連結部は、
前記第一の筐体に対して前記第二の筐体を長手方向に開閉する第一回動軸と、前記第一の筐体に対して前記第二の筐体を短手方向に開閉する第二回動軸と、
前記第一回動軸に取り付けられたカムと、を設け、
前記第一の筐体の内部には、前記操作部のキーの内容を印字したキーシートと、
当該キーシートに固定され、かつ、前記カムの回動に追従するカムフォロア部材と、を設け、
前記第一回動軸が回動すると前記カムに追従して、前記カムフォロア部材および前記キーシートがスライド移動することを特徴とする折り畳み式携帯電話機。
【請求項３】
前記カムフォロア部材は、圧縮バネにより長手方向において前記カムが配置された前記連結部の方向に付勢され、
前記第一の筐体と前記第二の筐体が閉じた状態では、前記カムフォロア部材と前記カム部材は当接し、
閉じた状態から前記第一回動軸の回動に伴って前記カムが回動すると、前記カムフォロア部材は前記圧縮バネの付勢により前記カムに追従しながら前記連結部の方向に移動することを特徴とする請求項２に記載の折り畳み式携帯電話機。
【請求項４】
前記圧縮バネの片端は前記カムフォロア部材に取り付けられ、他端は前記第一の筐体内部に設けられた保持部に固定されることを特徴とする請求項３に記載の折り畳み式携帯電話機。
【請求項５】
前記キーシートの印字面側に重ねられたマスクシートをさらに備え、
前記キーシートの印字面には、前記第一の筐体の長手方向となる向きに第一文字群が印字され、かつ、前記第一の筐体の短手方向となる向きに第二文字群が印字され、
前記マスクシートは、前記スライドシートがスライド移動した際に、前記第１文字群と前記第２文字群のいずれか一方が、外部から視認可能な複数の透明な表示窓を形成し、
前記第一の筐体に対して前記第二の筐体が前記第１の方向に開いた状態では前記第１文字群が前記表示窓と重なり、前記第一の筐体に対して前記第二の筐体が前記第２の方向に開いた状態および閉じた状態では前記第２文字群が前記表示窓と重なるよう構成した請求項１に記載の折り畳み式携帯電話機。
【請求項６】
前記第１文字群と前記第２文字群は、互い違いに記載されていることを特徴とした請求項５に記載の折り畳み式携帯電話機。
【請求項７】
無線通信手段とテレビ放送受信手段を更に備え、前記第１文字群には無線通信用の文字を印字し、前記第２文字群にはテレビ受信用の文字を印字したことを特徴とする請求項５または６に記載の折り畳み式携帯電話機。
【請求項８】
前記キーシートは、裏面側に白色のスライド板を貼着して構成したことを特徴とする請求項１または請求項２に記載の折り畳み式携帯電話機。
【請求項９】
前記保持部には、前記カムフォロア部材の移動方向にストッパー部を形成し、前記カムフォロア部材が所定量移動すると、前記カムフォロア部材が前記ストッパー部に当接して停止することを特徴とする請求項４に記載の折り畳み式携帯電話機。
【発明の詳細な説明】
【技術分野】
【０００１】
本発明は、２つの筐体を長手方向と短手方向にそれぞれ開閉可能に連結した折り畳み式携帯端末装置に関する。
【背景技術】
【０００２】
２つの筐体が重なりあうよう連結した折り畳み式携帯電話機では、ユーザーは、テンキーなどの操作部を備えた第一の筐体を手に持って、表示部を備えた第二の筐体を見るという使い方が一般的である。
【０００３】
ところが最近、テレビジョン放送を受信して表示する携帯電話機が実用化され、普及し始めている。横長のテレビジョン放送画面を見るには、表示部を短手方向に９０度回転させたほうが見やすい。そのため、表示部を備えた第二の筐体を該筐体の短手方向端部に備えられた回動軸まわりに機械的に回転させるとともに、表示部の方向を長手方向から短手方向に切り替える構造が提案されている（例えば、特許文献１参照）。
【０００４】
従来から提案されている折り畳み式携帯電話機の一例を図９から図１１に示す。図９の携帯電話機６０は、操作部７１を有する第一の筐体６１と、表示部７２を有する第二の筐体６２と、連結部６３の３つの筐体で構成されている。そして、第一の筐体６１に設けた第一回動軸６１ａに連結部６３を矢印Ａ方向に回動自在に支持し、連結部６３と第二の筐体６２とを連結する第二回動軸６３ａが当該連結面端部に配置され、表示部７２を有する第二の筐体６２を回動自在に支持している。このため、携帯電話機６０は、図１０に示すように連結部６３を第一の筐体６１に対して垂直に立てた状態で、第二の筐体６２を連結部６３の第二回動軸６３ａの周りに矢印Ｂの方向に回転することができる。この状態で、第二の筐体６２を連結部６３とともに矢印Ｃの方向に倒すと、携帯電話機６０は、図１１に示すように第二の筐体６２の表示部７２を短手方向に開いた形で使用することができる。
【０００５】
従来の携帯電話機６０では、表示部７２を長手方向の状態から短手方向の状態にするために、図９と図１０に示したように、矢印Ａの回転操作、矢印Ｂの回転操作、矢印Ｃの回転操作という３段階の回転操作を行なっている。そして、回転操作による筐体の機械的な動きを検知して、表示する画像の表示方向を筐体の動きに連動して切り替えている。
【０００６】
このようにして従来の携帯電話機６０で、表示部７２を横長方向にしてテレビ放送などを見ることができる。表示部７２の向きを横長にセットしたので、次は見る番組を選ぶ作業をする。しかし、テンキーなどの操作部は携帯電話機の配列のままであり、テンキーなどの向きも元のままである。表示部７２を、いわゆる横開きの状態にしたときに操作部の表示が縦表示のままでは、直感的に操作しにくい。特に、操作部のテンキーは「１」から「１０」までの数字は表示されているが、「１１」や「１２」の表示は無い。例えば、１２チャンネルを見ようとしたらどのボタンを押せばよいか分からない。
【０００７】
このような場合に、第二の筐体６２を短手方向に開き、表示部７２を横長にしたときに、テンキーなどの操作部の配列と向きがテレビ放送を見るための配列と向きに変わると便利である。そのための方法として、操作部を液晶表示付きのタッチパネルにして、表示部７２の向きが変わった都度、液晶表示のキー配列と向きを変えることが考えられるのであるが、テレビ放送を見ている間、ずっと液晶表示とバックライトをつけておくわけにもいかない。液晶表示を一度消して、その後、必要によりタッチパネルをワンタッチして再び液晶表示をさせてからチャンネル選択をすることになる（例えば、特許文献２参照）。
【０００８】
また、図９から図１１で示した従来の携帯電話機６０では、矢印Ａの回転操作、矢印Ｂの回転操作、矢印Ｃの回転操作による筐体の機械的な動きを検知して、表示する画像の表示方向を筐体の動きに連動して切り替えている。そのため、電源が入っていない状態で、筐体の開閉を行なうと、最適な文字入力方向で表示しないことが考えられる。
【特許文献１】特開２００６−２２８９９号公報
【特許文献２】特開２００１−２９６９５８号公報
【発明の開示】
【発明が解決しようとする課題】
【０００９】
本発明は、携帯電話機、ゲーム機やテレビ受信機能をもったＰＤＡ（Ｐｅｒｓｏｎａｌ  Ｄｉｇｉｔａｌ  Ａｓｓｉｓｔａｎｔｓ）など、２つの回動軸を備え長手方向と短手方向に開閉可能に連結した折り畳み式携帯端末装置で、第二の筐体を折り畳んだ状態から連結部の回動軸を回動させて開く際に、テンキーなどの操作部に印字された文字と、液晶などの表示器の向きに合わせて変更することを第一の課題としている。
【００１０】
そして、電源が入っていなくても、テンキーなどの操作部に印字された文字と、液晶などの表示器の向きに合わせて切り替えることができる使い勝手の良い携帯端末装置を実現することを第二の課題としている。
【課題を解決するための手段】
【００１１】
本発明は、操作部を備えた第一の筐体と表示部を備えた第二の筐体を、連結部を介して連結した折り畳み式携帯端末装置において、連結部には、第一の筐体に対して連結部を第二の筐体とともに長手方向に開閉するための第一回動軸を固定して設け、更に第一の筐体に対して第二の筐体を短手方向に開閉するための第二回動軸を設けている。そして、連結部に固定した第一回動軸にはカムを連動するように設けている。また、第一の筐体には、操作部のキーの内容を表示するキーシートをカムの動きによってスライド可能に支持している。
【００１２】
第二の筐体と連動して連結部を第一の筐体に対して開くと、連結部に固定した第一回動軸と第一回動軸に連動するカムとが回転し、カムの動きによってキーシートがスライドする構造になっている。ここで、キーシートには、二つの異なる方向に表示された文字が記載されている。また、第一の筐体には、キーシートをカムの動きでスライドしたときに、二つの異なる方向に表示された文字のどちらか一方だけを選択的に表示する表示窓を設けている。そして、第一の筐体に対して連結部を第二の筐体とともに長手方向に開いたときと、第一の筐体に対して第二の筐体を短手方向に開いたときとによって、第一の筐体に設けた表示窓に、キーシートに記載された二つの異なる方向に表示された文字のどちらかを選択的に表示するように構成している。
【００１３】
この構成により、連結部の開閉に応じて、操作部のキー配列と表示の向きを正しく切り替えることができる。
【００１４】
そして本発明は、上記構成に加えて、無線通信手段とテレビ放送受信手段を更に備え、キーシートには、無線通信用の文字とテレビ受信用の文字を記載し、第一の筐体に対して連結部を第二の筐体とともに長手方向に開いたときは、無線通信用の文字を表示し、第一の筐体に対して第二の筐体を短手方向に開いたときは、テレビ受信用の文字を選択的に表示するように構成している。
【００１５】
この構成により、長手方向に開いたときは、無線通信用の文字が長手方向に表示され、短手方向に開いたときは、テレビ受信用の文字が短手方向に表示することができる。
【００１６】
また本発明は、第一の筐体には、操作部のキーの内容を表示するキーシートをカムの動きによってスライド可能に支持するために、キーシートをカムに押圧する押圧手段を設け、押圧手段については、キーシートが所定量移動したときは、それ以上の移動を止めるストッパー手段を設けている。
【００１７】
このことにより、第一の筐体に対して連結部を開いていくときに、開き始めてから所定の角度以内で文字の切り替えが行なわれる。そのため、操作者が目を向けたときには既に文字が切り替わった後であり、操作者が文字が切り替わる瞬間を見なくてすむという効果がある。
【発明の効果】
【００１８】
本発明によれば、携帯電話機、ゲーム機やテレビ受信機能をもったＰＤＡなど、２つの回動軸を備え長手方向と短手方向に開閉可能に構成した折り畳み式携帯端末装置で、第二の筐体を折り畳んだ状態から連結部の回動軸を回動させて開く際に、テンキーなどの操作部に印字された文字を、液晶などの表示器の向きに合わせて変更することができる。
【００１９】
また、切り替えを機械的に行なうため、携帯端末装置に電源が入っていないときに筐体を開閉しても、テンキーなどの操作部に印字された文字を、液晶などの表示器の向きに合わせて切り替えることができる。
【発明を実施するための最良の形態】
【００２０】
（実施の形態１）
本発明の実施の形態１では、第一の筐体に対して第二の筐体が開いたときに、長手方向に開かれたか短手方向に開かれたかによって、第一の筐体と第二の筐体を連結している第三の筐体である連結部が、操作部を有する第一の筐体に対して開閉することを利用して課題を解決している。
【００２１】
図１に、本発明の実施の形態１に係る折り畳み式携帯電話機１００の第二の筐体２を長手方向に開いた状態を斜視図として示す。操作部５１のある第一の筐体１は、図示しない軸受部で、第一回動軸９を回転可能に支持している。連結部３は軸保持部３ａ、３ｂにより第一回動軸９を連結部３に一体に固定している。また第一回動軸９には破線で示すカム１２が連動できるようにしている。そのため、連結部３と第一回動軸９とカム１２は一体部品として回転する。連結部３の片隅には、破線で示す第二回動軸１０が第一回動軸９に直交するように設けてあり、第二回動軸１０には第二の筐体２が回動自在に取り付けられている。第二の筐体２には表示部５２を設けている。
【００２２】
このように、折り畳み式携帯電話機１００では、第二の筐体２を第一の筐体１に対して長手方向に開くと、操作部５１のテンキーの数字については、電話機として使えるように、規格で定められた電話機用のテンキー配列で、長手方向用の向きで表示される。
【００２３】
図２に、本発明の実施の形態１に係る折り畳み式携帯電話機１００の第二の筐体２を短手方向に開いた状態を斜視図として示す。各部分の配置は図１と同じであるが、第二の筐体２が閉じた状態から、第二回動軸１０の周りに回動して、第二の筐体２が第一の筐体１に対して短手方向に開いている。なお、第一の筐体１に対して連結部３は閉じている。このとき、操作部５１のテンキーの数字については、テレビ受信機として使いやすいように、第一列目は左から「１」、「２」、「３」、「４」と並んでいる。第二列目は左から「５」、「６」、「７」、「８」と並んでいる。そして、第三列目は「９」、「１０」、「１１」、「１２」と並んでいる。数字の向きも筐体の短手方向に対する向きで表示される。
【００２４】
折り畳み式携帯電話機１００では、第二の筐体２が第一の筐体１に対して長手方向に開いた場合、短手方向に開いた場合、それぞれにおいて、液晶表示部の表示の向きに適した向きで操作部５１の印字文字が見えるようにしている。以下に、その構成について詳細を説明する。
【００２５】
図３は、操作部５１の要部についての分解斜視図である。図３に示すように、数字等のキー内容を印刷した表示シート１３は、表示シート１３の印刷面の裏面にスライド板６が配置され、固着されている。表示シート１３には、テンキー用の「１」から「１０」までの数字が１３ａ、１３ｂ、１３ｃというように並んで印刷されている。また、テレビチャンネル用の数字が、１４ａ、１４ｂ、１４ｃというようにテンキー用の数字をまたぐように並んで印字されている。テンキー用の数字（第１印字群）の向きは第二の筐体２の長手方向を上下とする向きに、テレビチャンネル用の数字（第２印字群）は短手方向の向きに９０度、角度を変えて印刷されている。
【００２６】
なお、本実施の形態ではスライド板６の上面に表示シート１３を貼着して、いわゆるキーシートを構成しているが、スライド板６そのものに文字を印刷などして記載したキーシートとしてもよい。
【００２７】
表示シート１３の数字等の印刷面には、プラスチック部材等で構成されたマスクシート１６が重ねられている。マスクシート１６は、表示シート１３のうち第１印字群あるいは第２印字群のみの印刷が見えるよう、１つの印字群の印字の大きさおよび印字間隔で透明部分を構成し、残り部分を不透明に構成している。マスクシート１６は、筐体に貼着されている。
【００２８】
表示シート１３の印字面の裏面に配置されたスライド板６には、カムフォロアー部材７が一体的に固着されており、カムフォロアー部材７を一体的に固着した一つの部品として第一の筐体１に組み込まれる。カムフォロアー部材７は、第１回動軸に取付けられるカムに対し、第１回動軸が所定角度以上になると追従して動く。したがって、カムフォロアー部材７およびスライド板６、スライド板６に貼着された表示シート１３が、一体となって第１回動軸の回動に追従してスライドする。なお、スライド遷移の構成の詳細については、後述する。
【００２９】
さらに、スライド板６において、表示シート１３が貼着された側と反対側には、ダイヤフラム５と、キー回路基板４が配置される。ダイヤフラム５は表示シート１３に印刷された数字および文字よりも少ない数だけ配置されている。ダイヤフラム５は上から押されると中央部がへこんで、中央部と重なり合う位置に設けた接点がキー回路基板４上のキー用接点回路と接して電気的に導通させて、押されたことを感知するようにしている。
【００３０】
なお、スライド板６の表面を白色に塗装するか、スライド板６自体を白色の材料で作っておくと、表示シート１３の文字が、白色に浮き上がるかたちで良く見える、または見やすいという効果がある。
【００３１】
図４に、本発明の実施の形態１に係る折り畳み式携帯電話機１００の部分断面図を示す。図４では、第二の筐体２を連結部３とともに第一の筐体１に対して閉じたときの状態を示し、第一の筐体１の中を断面で示している。折り畳み式携帯電話機１００は、第一の筐体１に対する連結部３の動きによって操作部のキー配列と表示の向きを切り替えている。第一の筐体１の中には、図示しない支持部によって固定されたプリント基板４があり、プリント基板４の上にはダイヤフラム５は表示シート１３に印刷された数字および文字よりも少ない数だけ配置されている。ダイヤフラム５は上から押されると中央部がへこんで、中央部内に設けた図示しない接点がプリント基板４上のキー用接点回路と接して電気的に導通させて、押されたことを感知するようにしている。ダイヤフラム５と表示シート１３との間にはスライド板６が（図面の左右方向）にスライド動作できるように支持されている。
【００３２】
第一の筐体１には圧縮バネ保持部８が設けられていて、圧縮バネ１１をバネ保持部８ａで支え、第一回動軸が所定の角度以上、回動すると、スライド板６に固着したカムフォロアー部材７の端面を第一の筐体１内部において、第一回動軸が回動する方向に押すようにしている。圧縮バネ１１の力でスライド板６は図面左方向に動こうとする。なお、圧縮バネ保持部８のバネ保持部８ａの反対側には、スライド板６の図面左方向の動きを止めるストッパー部８ｂを突出させている。スライド板６は他に動きを止めるものが無ければ、ストッパー部８ｂに当たるまで第一の筐体内部で連結部方向に動く。
【００３３】
カム１２は、第一回動軸９に取付けられている。カム１２は、スライド板６に固着したカムフォロアー部材７の先端に当たり、第一回動軸９が所定の角度以上回転すると、カム１２に追従してスライド板６とともに移動する。
【００３４】
図５（ａ）に、第二の筐体２を短手方向に開いたときの状態を示す。なお、第一の筐体１を断面で示している。連結部３は第一の筐体１に対して閉じたままであるが第二の筐体２が第二回動軸１０の周りに回転し、表示部５２が見える。ここで、連結部３が第一の筐体１に対して閉じたままであるため、第一回動軸９は回転しない。つまり、カム１２は回転せず、スライド板６は、図４の第二の筐体２を閉じたときと同じである。
【００３５】
図５（ｂ）に、第二の筐体２を短手方向に開いたときの折り畳み式携帯電話機１００の平面図を示す。第二の筐体２が開いているので、操作ボタンについては第一の筐体１の透明な窓１ａから数字を見ることができる。図５（ｂ）では、テレビチャンネル用の「１」から「１２」までの数字が、文字の向きの上から第一段目に「１」、「２」、「３」、「４」と並んでいるのが見える。第二段目に「５」、「６」、「７」、「８」と並んでいる。そして、第三段目に「９」、「１０」、「１１」、「１２」と並んでいる。このことにより、折り畳み式携帯電話機１００の表示部５２をテレビ放送を見るための横長にしたときには、「１」から「１２」までのチャンネルのどれかを迷うことなく押すことができる。
【００３６】
図６（ａ）に、第二の筐体２を長手方向に閉じた状態から９０度開いたときの状態を示す。なお、第一の筐体１を断面で示している。連結部３は第二の筐体２とともに、第一の筐体１に対してＤ矢印のように開く。連結部３が開くと、連結部３と一体に固定されている第一回動軸９もＤ矢印の方に回転する。第一回動軸９が回転するとカム１２も連動して回転する。カム１２がＤ矢印の方に回転すると、圧縮バネ１１の伸びる力によりカムフォロアー部材７を図面左方向、Ｅ矢印の方向に移動させる。カムフォロアー部材７は図面左方向に移動を続け、圧縮バネ保持部８に突出させて形成したストッパー部８ｂに当たって止まる。
【００３７】
カムフォロアー部材７の移動量は、第一の筐体１の隣り合う窓１ａの１ピッチの半分にしている。すなわち、１ピッチを「Ｐ」とすると、カムフォロアー部材７は、「Ｐ／２」だけ左に移動し、カムフォロアー部材７が固定されているスライド板６も「Ｐ／２」だけ左に移動する。
【００３８】
図６（ｂ）に、第二の筐体２を長手方向に９０度の位置から開ききったときの状態を部分断面図として示す。カムフォロアー部材７は圧縮バネ１１保持部８に突出させて形成したストッパー部８ｂに当たっているため移動は止まるが、連結部３と第一回動軸９とカム１２は第二の筐体２とともに更にＦ矢印のように開くことができ、携帯電話機としての通話や電子メールの閲覧に適した所定の角度で止まる。
【００３９】
本発明の折り畳み式携帯電話機１００では、第二の筐体２を長手方向に９０度開いたときにカム１２によるカムフォロアー部材７の移動が完了する。その結果、第二の筐体２を長手方向に９０度開いたときには、操作部５１のキー配列と表示の向きは、第二の筐体２を長手方向に開いたときの内容に切り替わっている。
【００４０】
折り畳み式携帯電話機１００の操作者は、一般的に第二の筐体２が更にＦ矢印方向に開ききってから、操作部５１を見ると考えられる。そのため、折り畳み式携帯電話機１００の操作者が第二の筐体２を開いて操作部に目を向けたときには、既にキー配列と表示の向きが切り替わった後になる。第二の筐体２の開閉につれて徐々に文字の位置が変わっていくのが見えると見栄えが悪いが、本発明の折り畳み式携帯電話機１００では、第二の筐体２を開きかけた初期段階、つまり開き角度が所定の角度以内でキー配列と表示の向きの切り替えを完了して、見栄えが悪くならないようにしている。
【００４１】
したがって、本実施の形態では第二の筐体２を長手方向に９０度開いたときにキー配列と表示の向きの切り替えを完了する例を説明したが、第二の筐体２を開きかけた初期段階であれば切り替え完了の角度は９０度に限らない。
【００４２】
図７に、第二の筐体２を長手方向に開ききったときの折り畳み式携帯電話機１００の平面図を示す。第二の筐体２が連結部３とともに開いているので、操作ボタンについては第一の筐体１の透明な窓１ａから数字を見ることができる。図７では、電話機用として文字の向きの上から第一段目に「１」、「２」、「３」と並んでいるのが見える。第二段目に「４」、「５」、「６」と並んでいる。そして、第三段目に「７」、「８」、「９」と並んでいる。第四段目に「＊」、「０」、「＃」が並んでいる。このことにより、折り畳み式携帯電話機１００の表示部５２を縦長にしたときには、電話機の数字配置としてテンキーボタンを迷うことなく押すことができる。
【００４３】
なお、図８（ａ）に示すように第二の筐体２および連結部３を第一の筐体１に対して閉じた状態において、スライダー板６の位置がカム１２の回転バラツキにより不安定になることを防ぐため、スライダー板６の位置を決める第二のストッパー部１４を設けても良い。第二のストッパー部１４を設けた場合における、第二の筐体２および連結部３が９０度開いた状態の断面図を図８（ｂ）に、第二の筐体２および連結部３が開ききった状態の断面図を図８（ｃ）に示す。
【００４４】
また、実施の形態１では第一回動軸９にカム１２を固定する場合について説明したが、第一回動軸９の回転がカム１２に連動して伝わる構造であれば他の構造を用いてもよい。例えば、第一回動軸９とカム１２の軸の間に別の軸を設け第一回動軸９とカム１２を連動させてもよい。このことによりカムの軸の位置を任意に設定することができる。
【００４５】
以上説明した通り、二軸回転式の携帯電話機において、第二の筐体を折り畳んだ状態から開いたときに、長手方向に開かれたか、短手方向に開かれたかに応じて操作部の表示内容と表示する向きを正しく切り替えることができる。
【００４６】
また、第三の筐体である連結部３が第一の筐体１に対して回転する動きをカム１２の動きとして、カムフォロアー部材を固着したスライド板６をスライドさせて、機械的に操作部の表示内容と表示する向きを切り替えている。そのため、携帯端末装置に電源が入っていなくても、確実に操作部の表示内容と表示する向きを切り替えることができる。
【００４７】
以上、携帯端末装置の一つであるテレビ受信手段をもつ携帯電話機について本発明を説明したが、電卓機能付き携帯電話機において、短手方向に開いたときには電子卓上計算機として使えるように計算機用のキー配列に切り替えるようにしても良い。その他、二つの異なる方向に表示された文字については、互い違いに配置しても良い。このことにより、ゲーム機その他の各種の携帯端末装置に対応することができる。
【産業上の利用可能性】
【００４８】
本発明は、折り畳み式携帯電話機に限らず、表示画面を縦横に切り替えて使用するゲーム機や、テレビ受信機能を持ったＰＤＡなどにおいて、２つの回動軸を備え長手方向と短手方向に開閉可能に連結した折り畳み式携帯端末装置に適用できる。
【図面の簡単な説明】
【００４９】
【図１】本発明の実施の形態１に係る携帯電話機の筐体を長手方向に開いた状態を示す斜視図
【図２】本発明の実施の形態１に係る携帯電話機の筐体を短手方向に開いた状態を示す斜視図
【図３】本発明の実施の形態１に係る携帯電話機の操作部の要部についての分解斜視図
【図４】本発明の実施の形態１に係る携帯電話機を閉じたときの部分断面図
【図５】（ａ）本発明の実施の形態１に係る携帯電話機の筐体を短手方向に開いた状態を示す部分断面図（ｂ）本発明の実施の形態１に係る携帯電話機の筐体を短手方向に開いた状態を示す平面図
【図６】（ａ）本発明の実施の形態１に係る携帯電話機の筐体を長手方向に開いた状態を示す部分断面図（ｂ）本発明の第一の実施の形態に係る携帯電話機の筐体を長手方向に開いた状態を示す部分断面図
【図７】本発明の実施の形態１に係る携帯電話機の筐体を長手方向に開いた状態を示す平面図
【図８】本発明の実施の形態１の変形例に係る携帯電話機の筐体の断面図
【図９】従来の携帯電話機の第二の筐体を長手方向に開いた状態を示す斜視図
【図１０】従来の携帯電話機の第二の筐体を長手方向に開いた後、更に第二の筐体を回転した状態を示す斜視図
【図１１】従来の携帯電話機の第二の筐体を連結部とともに長手方向に開き、第二の筐体を連結部に対して回転させ、その後連結部を閉じたときの状態を示す斜視図
【符号の説明】
【００５０】
１    第一の筐体
２    第二の筐体
３    連結部
４    プリント基板
５    ダイヤフラム
６    スライド板
７    カムフォロアー部材
８    圧縮バネ保持部
９    第一回動軸
１０    第二回動軸
１１    圧縮バネ
１２    カム
１３    表示シート
【要約】
【課題】長手方向と短手方向に開閉可能なテレビ受信機能付き携帯電話機では、テレビ放送を横長画面で見ることができるが、テンキーなどの操作部の表示は、携帯電話機の表示のままである。
【解決手段】操作部の表示シート１３を第一の筐体１内でスライドするスライド板６に貼り付け、カム１２を第一回動軸９に連動して設け、第二の筐体２を長手方向に開くと第一回動軸９が第二の筐体２とともに回転することを利用して、カム１２の動きでスライド板６をずらし、テンキーなどの操作部の表示をチャンネル選択用の数字配列から電話用の数字配列へ切り替え、表示の向きも９０度回転した表示に切り替えるよう構成した。
【選択図】図４【図１】
0004216887.tif 000002
【図２】
0004216887.tif 000003
【図３】
0004216887.tif 000004
【図４】
0004216887.tif 000005
【図５】
0004216887.tif 000006
【図６】
0004216887.tif 000007
【図７】
0004216887.tif 000008
【図８】
0004216887.tif 000009
【図９】
0004216887.tif 000010
【図１０】
0004216887.tif 000011
【図１１】
0004216887.tif 000012